【手続補正書】
【提出日】平成21年2月10日(2009.2.10)
【手続補正１】
【補正対象書類名】特許請求の範囲
【補正対象項目名】全文
【補正方法】変更
【補正の内容】
【特許請求の範囲】
【請求項１】
送信サーバを備え伝送路を介してデータ・パケットをデジタル方式で配信する送信設備と、前記データ・パケットを受信する第１受信器および第２受信器を備えた受信設備を有するデジタル方式情報配信システムであって、
前記送信サーバは、
第１コンテンツの映像情報のデジタル・データを含む第１映像データ・パケットと、第１映像同期信号を含む第１映像同期信号パケットと、前記第１コンテンツの音声情報のデジタル・データを含む第１音声データ・パケットと、第１音声同期信号を含む第１音声同期信号パケットを生成する生成部、および、
前記第１映像データ・パケットおよび前記第１映像同期信号パケットを、前記第１受信器に向けて配信し、前記第１音声データ・パケットおよび前記第１音声同期信号パケットを、前記第２受信器に向けて配信可能な送出部を有し、
前記第１受信器は、前記第１映像データ・パケットおよび前記第１映像同期信号パケットを受信可能であって、
前記第１映像データ・パケットをバッファリングする第１バッファ部と、
前記第１映像同期信号パケットに基づいてクロックを調整可能な第１クロック生成部と、
前記第１クロック生成部の発する第１クロックに基づいて前記第１映像データ・パケットを再生する第１デコーダ部を含み、
前記第２受信器は、前記第１音声データ・パケットおよび前記第１音声同期信号パケットを受信可能であって、
前記第１音声データ・パケットをバッファリングする第２バッファ部と、
前記第１音声同期信号パケットに基づいてクロックを調整可能な第２クロック生成部と、
前記第２クロック生成部の発する第２クロックに基づいて前記第１音声データ・パケットを再生する第２デコーダ部を含むデジタル方式情報配信システム。
【請求項２】
前記生成部は、さらに、
第２コンテンツの映像情報のデジタル・データを含む第２映像データ・パケットと、第２映像同期信号を含む第２映像同期信号パケットを生成可能であり、
前記送出部は、さらに、
前記第２映像データ・パケットおよび前記第２映像同期信号パケットを、前記第２受信器に向けて配信可能であり、
前記第２受信器は、前記第２映像データ・パケットおよび前記第２映像同期信号パケットを受信可能であって、さらに、
前記第２映像データ・パケットをバッファリングする第３バッファ部と、
前記第２映像同期信号パケットに基づいてクロックを調整可能な第３クロック生成部と、
前記第３クロック生成部の発する第３クロックに基づいて前記第２映像データ・パケットを再生する第３デコーダ部を含む請求項１に記載のデジタル方式情報配信システム。
【請求項３】
前記第１映像データ・パケットは、前記第１映像データ・パケットが再生されるタイミングの情報である第１映像再生タイミング・データを含み、
前記第２映像データ・パケットは、前記第２映像データ・パケットが再生されるタイミングの情報である第２映像再生タイミング・データを含み、
前記第１音声データ・パケットは、前記第１音声データ・パケットが再生されるタイミングの情報である第１音声再生タイミング・データを含む請求項２に記載のデジタル方式情報配信システム。
【請求項４】
前記第１映像同期信号は、前記第１映像再生タイミング・データを所定の第１参照時間軸上の第１の時刻に対応付ける第１映像データ再生用基準時刻値を含み、
前記第１音声同期信号は、前記第１音声再生タイミング・データを前記所定の第１参照時間軸上の第２の時刻に対応付ける第１音声データ再生用基準時刻値を含む請求項３に記載のデジタル方式情報配信システム。
【請求項５】
前記第２映像同期信号は、前記第２映像再生タイミング・データを所定の第２参照時間軸上の第３の時刻に対応付ける第２映像データ再生用基準時刻値を含む請求項４に記載のデジタル方式情報配信システム。
【請求項６】
送信設備は、さらに、前記送信サーバと有線伝送路で接続された電波中継機を備え、
前記電波中継機と前記受信設備との間に含まれる前記伝送路は、無線伝送路である請求項１に記載のデジタル方式情報配信システム。
【請求項７】
前記送信サーバの送出部は、前記第１受信器および前記第２受信器に、前記第１コンテンツを含む１つまたは複数のコンテンツのデータ・パケットをマルチキャスト方式で配信する請求項１に記載のデジタル方式情報配信システム。
【請求項８】
前記送信サーバは、さらに、前記１つまたは複数のコンテンツの配信方法に関する情報であるコンテンツ参照テーブルを生成するコンテンツ参照テーブル生成部を備え、
前記送出部は、前記第１受信器および前記第２受信器に、前記コンテンツ参照テーブルを配信する請求項７に記載のデジタル方式情報配信システム。
【請求項９】
前記コンテンツ参照テーブルは、前記１つまたは複数のコンテンツのいずれかに含まれる音声データ・パケット、音声同期信号パケット、映像データ・パケット、および、映像同期信号パケットそれぞれについて、前記送出部が送出に用いるポート番号およびマルチキャストアドレスの少なくともいずれか１つに関する情報を含む請求項８に記載のデジタル方式情報配信システム。
【請求項１０】
伝送路を介して受信器に向けてデータ・パケットをデジタル方式で配信する送信サーバであって、
コンテンツの映像情報のデジタル・データを含む映像データ・パケットと、映像同期信号を含む映像同期信号パケットと、同コンテンツの音声情報のデジタル・データを含む音声データ・パケットと、音声同期信号を含む音声同期信号パケットを生成する生成部、および、
前記映像データ・パケットおよび前記映像同期信号パケットを、第１受信器に向けて配信し、前記音声データ・パケットおよび前記音声同期信号パケットを、第２受信器に向けて配信可能な送出部を有する送信サーバ。
【請求項１１】
前記映像データ・パケットは、前記映像データ・パケットが再生されるタイミングの情報である映像再生タイミング・データを含み、
前記音声データ・パケットは、前記音声データ・パケットが再生されるタイミングの情報である音声再生タイミング・データを含む請求項１０に記載の送信サーバ。
【請求項１２】
前記映像同期信号は、前記映像再生タイミング・データを所定の参照時間軸上の第１の時刻に対応付ける映像データ再生用基準時刻値を含み、
前記音声同期信号は、前記音声再生タイミング・データを前記所定の参照時間軸上の第２の時刻と対応付ける音声データ再生用基準時刻値を含む請求項１１に記載の送信サーバ。
【請求項１３】
前記映像情報および前記音声情報はそれぞれ、ＭＰＥＧ方式で圧縮符号化され、
前記映像再生タイミング・データは、前記映像情報のプレゼンテーション・タイム・スタンプに基づくデータであり、前記音声再生タイミング・データは、前記音声情報のプレゼンテーション・タイム・スタンプに基づくデータである請求項１２に記載の送信サーバ。
【請求項１４】
前記送出部は、前記映像データ・パケットおよび前記音声データ・パケットを、ＲＴＰパケットとして配信し、前記映像同期信号パケットおよび前記音声同期信号パケットを、ＲＴＣＰパケットとして配信する請求項１０に記載の送信サーバ。
【請求項１５】
前記送出部は、前記第１受信器および前記第２受信器に、前記コンテンツを含む１つまたは複数のコンテンツのデータ・パケットをマルチキャスト方式で配信する請求項１０に記載の送信サーバ。
【請求項１６】
さらに、前記１つまたは複数のコンテンツの配信方法に関する情報であるコンテンツ参照テーブルを生成するコンテンツ参照テーブル生成部を備え、
前記送出部は、前記第１受信器および前記第２受信器に、前記コンテンツ参照テーブルを配信する請求項１５に記載の送信サーバ。
【請求項１７】
前記コンテンツ参照テーブルは、前記１つまたは複数のコンテンツのいずれかに含まれる音声データ・パケット、音声同期信号パケット、映像データ・パケット、および、映像同期信号パケットそれぞれについて、前記送出部が送出に用いるポート番号およびマルチキャストアドレスの少なくともいずれか１つに関する情報を含む請求項１６に記載の送信サーバ。
【請求項１８】
伝送路を介して配信される第１コンテンツの映像情報のデジタル・データを含む第１映像データ・パケットと前記第１映像データ・パケットの映像同期信号を含む第１映像同期信号パケットと、第２コンテンツの音声情報のデジタル・データを含む第２音声データ・パケットと前記第２音声データ・パケットの音声同期信号を含む第２音声同期信号パケットとを受信する受信器であって、
前記第１映像データ・パケットをバッファリングする第１バッファ部、
前記第２音声データ・パケットをバッファリングする第２バッファ部、
前記第１映像同期信号パケットに基づいてクロックを調整可能な第１クロック生成部、
前記第２音声同期信号パケットに基づいてクロックを調整可能な第２クロック生成部、
前記第１クロック生成部の発する第１クロックに基づいて前記第１映像データ・パケットを再生する第１デコーダ部、および、
前記第２クロック生成部の発する第２クロックに基づいて前記第２音声データ・パケットを再生する第２デコーダ部を有する受信器。
【請求項１９】
マルチキャスト方式で配信される前記第１映像データ・パケットと、前記第１映像同期信号パケットと、前記第２音声データ・パケットと、前記第２音声同期信号パケットの受信に加え、同じくマルチキャスト方式で配信される、前記第１コンテンツの音声情報のデジタル・データを含む第１音声データ・パケットおよび前記第１音声データ・パケットの音声同期情報を含む第１音声同期信号パケット、ならびに、前記第２コンテンツの映像情報のデジタル・データを含む第２映像データ・パケットおよび前記第２映像データ・パケットの映像同期情報を含む第２映像同期信号パケット、を受信することができ、
さらに、受信した、前記第１映像データ・パケット、前記第１映像同期信号パケット、前記第１音声データ・パケット、前記第１音声同期信号パケット、前記第２映像データ・パケット、前記第２映像同期信号パケット、前記第２音声データ・パケット、および、前記第２音声同期信号パケットのうち、
前記第１デコーダ部には、前記第１映像データ・パケットを前記第１映像同期信号パケットに基づいて再生させ、前記第２デコーダ部には、前記第２音声データ・パケットを前記第２音声同期信号パケットに基づいて再生させるように前記第１バッファ部、前記第２バッファ部、前記第１クロック生成部、前記第２クロック生成部に送られるパケットの振り分けを制御する、コンテンツ選択司令部を有する請求項１８に記載の受信器。
【請求項２０】
前記受信器は、旅客輸送施設における座席に備え付けられる請求項１８に記載の受信器。
【請求項２１】
伝送路を介して複数のデータ・パケットをデジタル方式で配信する送信設備と、前記複数のデータ・パケットを受信する受信器を少なくとも２つ備える受信設備を有するデジタル方式情報配信システムにおいて、前記送信設備から前記複数のデータ・パケットを前記受信設備の第１受信器および第２受信器に送出する方法であって、
コンテンツの映像情報のデジタル・データである第１送出データ・パケットを生成する第１生成ステップと、
同コンテンツの音声情報のデジタル・データである第２送出データ・パケットを生成する第２生成ステップと、
前記第１送出データ・パケットの再生タイミングを所定の参照時間軸における第１の時刻に対応付ける第１データ用基準時刻値を含む第１同期信号パケットを生成する第３生成ステップと、
前記第２送出データ・パケットの再生タイミングを前記所定の参照時間軸における第２の時刻に対応付ける第２データ用基準時刻値を含む第２同期信号パケットを生成する第４生成ステップと、
前記第１送出データ・パケットおよび前記第１同期信号パケットを第１受信器に向けて送出する第１送出ステップと、
前記第２送出データ・パケットおよび前記第２同期信号パケットを第２受信器に向けて送出する第２送出ステップを有する方法。
【請求項２２】
前記第１送出ステップは、前記第１送出データ・パケットをＲＴＰパケットとして、前記第１同期信号をＲＴＣＰパケットとして送出し、
前記第２送出ステップは、前記第２送出データ・パケットをＲＴＰパケットとして、前記第２同期信号をＲＴＣＰパケットとして送出する請求項２１に記載の方法。
【請求項２３】
前記第１送出ステップと前記第２送出ステップは、マルチキャスト方式を用いてデータ・パケットを送出し、
さらに、前記コンテンツの配信方法に関する情報であるコンテンツ参照テーブルを生成するステップと、
前記コンテンツ参照テーブルを前記第１受信器および前記第２受信器に配信するステップを有する請求項２１に記載の方法。
【請求項２４】
伝送路を介して受信器に向けてデータ・パケットをデジタル方式で配信する送信サーバであって、
コンテンツの映像情報のデジタル・データおよび該映像情報のデジタル・データの映像同期信号を含む第１データ・パケットと、同コンテンツの音声情報のデジタル・データおよび該音声情報のデジタル・データの音声同期信号を含む第２データ・パケットとを生成する生成部、および、
前記第１データ・パケットを、第１受信器に向けて配信し、前記第２データ・パケットを、第２受信器に向けて配信する送出部を有する送信サーバ。